(57)【特許請求の範囲】
【請求項１】
開口部が設けられた急須本体と、この開口部を覆う蓋体とを有する急須において、
上記急須本体に設けられ、上記蓋体を載置して支持する蓋載置部と、
上記蓋体に設けられ、上記急須本体の開口部に嵌め込まれる台座部と、
上記台座部に設けられ、上記蓋体が上記開口部に嵌め込まれた状態で、上記蓋載置部のうち上記蓋体が載置される側とは反対側の裏面に差し掛かる脱落防止手段とを備え、
上記台座部は、内部が中空部となる筒状部に形成されていると共に、上記蓋載置部に上記蓋体が載置された場合における上記筒状部の外周の一部には、該中空部に空気を供給するための空気孔が形成されていて、この空気孔は上記蓋載置部の側縁部分に当接した場合に、塞がれる位置に形成されていることを特徴とする急須。
【請求項２】
前記蓋体を前記蓋載置部に載置した場合において、前記蓋体が前記蓋載置部に当接する部分が蓋側フランジ部であり、該蓋側フランジ部のうち注ぎ口側が幅広に形成され、取手側が幅狭に形成されていると共に、前記蓋載置部も、上記注ぎ口側が幅広に形成され、上記取手側が幅狭に形成されていることを特徴とする請求項１記載の急須。
【請求項３】
前記蓋体の天井部には、適量の茶葉を前記急須本体内部に入れる際の目安となる計量部が形成されていることを特徴とする請求項１又は２記載の急須。
【請求項４】
開口部が設けられた急須本体と、この開口部を覆う蓋体とを有する急須において、
上記急須本体に設けられ、上記蓋体を載置して支持する蓋載置部と、
上記蓋体に設けられ、上記急須本体の開口部に嵌め込まれる台座部とを備え、
上記台座部は、内部が中空部となる筒状部に形成されていると共に、前記蓋載置部に前記蓋体が載置された場合における上記筒状部の外周に該中空部に空気を供給するための空気孔が形成されていて、この空気孔は前記蓋載置部の側縁部分に当接した場合に、塞がれる位置に形成されていることを特徴とする急須。
【発明の詳細な説明】
【０００１】
【発明の属する技術分野】
本発明は、日本茶等の飲料を注ぐ際に用いられる急須に関する。
【０００２】
【従来の技術】
古来より、日本茶を注ぐために急須が広く用いられている。この急須は、急須本体と蓋体とから構成されていて、茶葉およびお湯を急須本体の内部に入れるときは、急須本体の開口部を覆っている蓋体を取り外す。茶葉およびお湯を入れた後に再び開口部を覆うように蓋体を取り付ける。所定時間経過後して、お茶の飲み頃となったときには、取手を握って急須をわずかに傾けて注ぎ口からお茶を茶碗に注ぐ。
【０００３】
【発明が解決しようとする課題】
ところで、手で取手を持ってお茶を注いでいると、急須本体の内部のお茶が徐々に減少する。お茶が減少すると、お茶の流量を確保し、または注ぎ易くするために、自然に急須をさらに傾けてゆく。ところが、急須の傾斜角度をきつくしてゆくと、しばしば蓋体の急須本体との係合状態が解かれ、蓋体が脱落してしまう。しかも、急須本体の内部には、熱湯が存するため、蓋体の脱落は常にやけどの可能性を伴い、非常に危険なものとなっている。また、蓋体の脱落によって、蓋体が茶碗の一部に当たったり、茶碗の中に入ってしまうことが生ずる。すると、茶碗が割れたり、茶碗内のお茶がこぼれてしまうこととなる。
【０００４】
そこで、お茶を注ぐ際に、安全性を確保するため、手で蓋体を抑えた状態で注ぐこととなる。しかしながら、一方の手で急須を持ちながら、他方の手で蓋体を押さえてお茶を注ぐ場合、両方の手を同時に傾けると、姿勢が窮屈になってしまう。また、蓋体部分は、熱湯の湯気が当たる部分であり、温度が上昇しやすい部分である。このため、できるならこの蓋体にはさわりたくないという気持ちが生ずる。また、例えば緊急の来客時には、一方の手でお茶を注ぎながら、他方の手で茶碗を移動させる等、蓋体を押さえる以外の他の作業が必要となることも多い。その場合には、やむを得ず片手でお茶を注ぐこととなり、上述のような危険を伴いながらの作業となる。
【０００５】
また、従来の急須は、蓋体部分に外気に常時つながる孔が設けられているか、全く設けられていない構成となっている。常時、外気につながる孔を設けると、注ぎはスムーズになるものの、外気が入りお湯（お茶）が冷めやすい。外気に常時つながる孔が設けられていない場合、お湯は冷めにくいが注ぎの際にすみやかな注ぎを行いにくい。
【０００６】
また、従来の急須は、急須本体中のお湯（お茶）の湯気が蓋体の底面に付着し、そこで冷え、再度お湯の中に落ちるという現象が生じている。このため、お茶の味が落ちたり、お湯の温度が低下する場合もある。また、従来の急須では開口部が円形であるため、その開口部に嵌入させる蓋体も円形状とし、どのような位置でも開口部を塞ぐようにされている。この構成は、蓋体を開口部に嵌入させる場合、きわめて好都合であるが、蓋体に空気孔を所定位置に設けたい場合や、蓋体の脱落を防止する手段を設けたい場合等では不都合となる。
【０００７】
さらに、従来の急須では、蓋体の重心が急須本体の中心から外方に離れた位置にあるため、急須を少し傾けると、蓋体がずり落ちたり、さらには急須本体から外れてしまうという状態が生じている。
【０００８】
本発明は、上記の事情に基づきなされたもので、その目的とするところは、蓋体を外れにくくし、片手のみでもお茶を容易に注ぐことができる利便性を備えると共に、十分な安全性を有してお茶を注ぐことが可能な急須を提供することにある。また、他の発明は、注ぎの制御が容易となる急須を提供することを目的とする。さらに他の発明は、蓋体の底面に付着した湯気の戻りをできる限り少なくできると共に蓋体が窮す本体から外れにくくする急須を提供することを目的とする。また、他の発明は、蓋体を所定位置関係でのみ急須本体に装着できる急須を提供することを目的とする。
【０００９】
【課題を解決するための手段】
上述の目的を達成するため、本発明は、開口部が設けられた急須本体と、この開口部を覆う蓋体とを有する急須において、急須本体に設けられ、蓋体を載置して支持する蓋載置部と、蓋体に設けられ、急須本体の開口部に嵌め込まれる台座部と、台座部に設けられ、蓋体が開口部に嵌め込まれた状態で、蓋載置部のうち蓋体が載置される側とは反対側の裏面に差し掛かる脱落防止手段とを備え、台座部は、内部が中空部となる筒状部に形成されていると共に、蓋載置部に蓋体が載置された場合における筒状部の外周の一部には、中空部に空気を供給するための空気孔が形成されていて、この空気孔は蓋載置部の側縁部分に当接した場合に、塞がれる位置に形成されているものである。
【００１０】
このようにすると、脱落防止手段が蓋載置部の裏面に差し掛かった状態で、蓋体が蓋載置部に載置される。それにより、急須本体に蓋体が取り付けられた状態では、片手で急須を持って茶碗にお茶を注ぐ場合でも、脱落防止手段を設けることによって、蓋体が急須本体から外れて脱落するのを防ぐことができる。このため、内部に熱湯が存する急須を片手で持った状態でお茶を注いでも、使用者がやけどするのを防止できる。
【００１１】
また、脱落防止手段で蓋体が急須本体から外れるのを防止できるので、片手で急須を持ったままの状態で、該急須を大きく傾けることができる。それにより、お茶を茶碗に入れる流量の勢いを確保したり、急須本体の内部に存するお茶を出し切ることが可能となる。また、片手で茶碗にお茶を注げるので、空いている手で他の作業をすることができ、お茶を茶碗に注ぐ際の利便性が向上する。
また、片手で急須を持つと共に、例えば親指等で蓋体を押さえている場合には、親指を動かして蓋体をスライドさせれば、注ぎ口から注がれるお茶の流量調整を行うことができる。すなわち、空気孔が蓋載置部の側縁部分に当接している状態では、この空気孔が塞がれるので、急須を傾けても中空部の内部に空気を供給することができない。しかしながら、親指を動かして蓋体をずらすと、空気孔が塞がれた状態が解かれ、中空部の内部に空気を供給することができる。それによって、急須を傾けた場合に、お茶を茶碗にゆっくり注ぐことができる。
すなわち、蓋体をずらすことによって、お茶の流量を素早く、かつ簡単に制御することができる。しかも、このお茶の流量調整が、片手のみで行えるので、非常に便利なものとなる。
【００１２】
また、他の発明は、上述の発明に加えて更に、蓋体を蓋載置部に載置した場合において、蓋体が蓋載置部に当接する部分が蓋側フランジ部であり、該蓋側フランジ部のうち注ぎ口側が幅広に形成され、取手側が幅狭に形成されていると共に、蓋載置部も、注ぎ口側が幅広に形成され、取手側が幅狭に形成されているものである。
【００１３】
このため、幅広の蓋載置部では、幅広の蓋側フランジ部を受け止めることができる。また、幅狭の蓋載置部には、幅狭の蓋側フランジ部を受け止めるものとなる。この場合、蓋側フランジ部が幅狭に形成されていることにより、蓋体の前方側を持ち上げて、該蓋体を急須本体から取り外す場合に、その取り外しをスムーズに行うことができる。また、幅広と幅広とを合わせ幅狭と幅狭とを合わせることで蓋体を開口部に所定の位置関係で係合させることができる。
【００１４】
さらに、他の発明は、上述の各発明に加えて更に、蓋体の天井部には、適量の茶葉を急須本体内部に入れる際の目安となる計量部が形成されているものである。このため、急須本体の内部に茶葉を入れるに先立って、計量部に茶葉を盛ることで、急須の容量に適した茶葉の分量を簡単に判別することができる。それによって、お茶を一層おいしい状態で飲むことが可能となる。
【００１６】
このため、片手で急須を持つと共に、例えば親指等で蓋体を押さえている場合には、親指を動かして蓋体をスライドさせれば、注ぎ口から注がれるお茶の流量調整を行うことができる。すなわち、空気孔が蓋載置部の側縁部分に当接している状態では、この空気孔が塞がれるので、急須を傾けても中空部の内部に空気を供給することができない。しかしながら、親指を動かして蓋体をずらすと、空気孔が塞がれた状態が解かれ、中空部の内部に空気を供給することができる。それによって、急須を傾けた場合に、お茶を茶碗にゆっくり注ぐことができる。
【００１７】
すなわち、蓋体をずらすことによって、お茶の流量を素早く、かつ簡単に制御することができる。しかも、このお茶の流量調整が、片手のみで行えるので、非常に便利なものとなる。
【００１８】
また、他の発明の急須は、開口部が設けられた急須本体と、この開口部を覆う蓋体とを有する急須において、急須本体に設けられ、蓋体を載置して支持する蓋載置部と、蓋体に設けられ、急須本体の開口部に嵌め込まれる台座部とを備え、台座部は、内部が中空部となる筒状部に形成されていると共に、蓋載置部に蓋体が載置された場合における筒状部の外周に該中空部に空気を供給するための空気孔が形成されていて、この空気孔は蓋載置部の側縁部分に当接した場合に、塞がれる位置に形成されている。
【００１９】
この発明の急須では、蓋体をわずかにずらすことによって、蓋体の中空部への空気の流入を可能としている。このため、中空部が密閉状態となり、その結果、お湯（お茶）の注ぎ具合をゆっくりしたものとしたり、中空部の密閉状態を解きもう少し速く注ぐことができる状態としたりすることができる。すなわち、蓋体をずらすことによって、お茶の流量を素早く、かつ簡単に制御することができる。しかも、このお茶の流量調整が、片手のみで行えるので、非常に便利なものとなる。
【００３０】
【発明の実施の形態】
以下、本発明の一実施の形態に係る急須１０について、図１から図４に基づいて説明する。なお、図１は、本実施の形態に係る急須１０を示す図で、急須本体１１に蓋体１２が取り付けられる前の様子を示す側断面図である。また、図２は、急須本体１１に蓋体１２が取り付けられた後の急須１０の様子を示す側断面図である。この図に示すように、急須１０は、全体が例えば陶器から形成されていて、急須本体１１と蓋体１２とから構成されている。このうち、急須本体１１には、その前端側にお茶を茶碗に注ぐ注ぎ口１３が設けられると共に、後端側に手で把持する取手１４が設けられている。
【００３１】
ここで、本実施の形態の急須１０は、図３に示すように、注ぎ口１３の中心線及び取手１４の中心線を含む面を対象として、左右面対称となるように設けられている。この場合、蓋体１２、注ぎ口１３及び取手１４は、略同一直線状となるように配置されていて、後述するように、お茶を注ぐ際の操作性の向上を図っている。
【００３２】
急須本体１１の内部には、お茶を蓄えるための空間となる空洞１５が設けられているが、この空洞１５に円筒状の茶漉し網１６が配置されている。茶漉し網１６は、茶葉が注ぎ口１３から流出するのを防止するものであり、空洞１５に対して着脱自在に設けられている。なお、茶漉し網１６は、例えばステンレス製の針金がメッシュ状に設けられることで構成されているが、ナイロン等の樹脂、その他の材料から構成されるものであっても良い。
【００３３】
急須本体１１のうち、注ぎ口１３と取手１４の間であって、底部の反対側の部分は、やや扁平した円形状の開口部１７となっている。開口部１７は、茶葉やお湯を内部に入れるために十分な開口形状を有しているものである。また、この開口部１７の周囲は、蓋体１２を載置して支持するための蓋載置部１８となっている。蓋載置部１８は、略平面または開口部１７へ向かい僅かに下る傾斜面に形成されている。また、蓋体１２を良好に支持するために、後述する筒状部２４との間で規定される、所定の寸法を有している。
【００３４】
なお、この蓋載置部１８は、図１に示すように注ぎ口１３側が幅Ｌ１とされ幅広に設けられると共に、取手１４側が幅狭に設けられている。すなわち、Ｌ１＞Ｌ２とされている。なお、蓋載置部１８の注ぎ口１３側と取手１４側とをつなぐ側面部分は、取手１４側と略同一の幅、すなわちＬ２と略同一の幅とされている。
【００３５】
急須本体１１の外部であって開口部１７の近傍に蓋体１２を取り外す際等に指を当てる半円形状の指入れ凹部１９が開口部１７を挟んで対向する位置に計２個設けられている。
【００３６】
注ぎ口１３側の幅広の蓋載置部１８の前方上部には、蓋体１２が注ぎ口１３側へ移動するのを防止する、前方側当接部２０が設けられている。前方当接部２０は、蓋載置部１８から見て切り立った壁面状の部分である。また、取手１４側の幅狭の蓋載置部１８の後方には、蓋体１２が取手１４側へ移動するのを防止する後方側当接部２１が設けられている。なお、後方側当接部２１は、取手１４の蓋載置部１８側の部分を切り欠いて構成されており、前方側当接部２０に比べ、より大きく切り立った壁面状に形成されている。
【００３７】
このような急須本体１１に対して、蓋体１２が取り付けられる。蓋体１２は、その全体が扁平の傘型を為していて、しかも周囲全体に渡って、他の部分よりも張り出した蓋側フランジ部２２を有している。この蓋側フランジ部２２が蓋載置部１８と当接することで、蓋体１２が蓋載置部１８によって支持される。なお、蓋側フランジ部２２は、蓋載置部１８の幅に対応して、注ぎ口１３に位置する側の幅Ｍ１が幅広に設けられると共に、取手１４に位置する側の幅Ｍ２が幅狭に設けられている。すなわちＭ１＞Ｍ２となっている。また、蓋側フランジ部２２の注ぎ口１３側と取手１４側とをつなぐ側面部分は、取手１４側の幅と略同一とされている。
【００３８】
また、蓋体１２のうち、天井部側（図１及び図２において開口部１７から離間する側）は、計量部２３となっている。計量部２３は、周壁に囲まれて窪んだ状態に形成されていて、ここに茶葉を盛り計量部２３から突出した茶葉を取り除き、計量部２３の容量と同一な茶葉の量とすると、空洞１５に入れるお湯の量に見合った茶葉の分量（具体的には、お茶が一番おいしくなる分量）となるように形成されている。なお、その分量の一例としては、例えば空洞１５が一杯となるお湯の量２００ｃｃに対して、計量部２３に茶葉を盛って一杯としたときに茶葉が６ｇとなり、お湯と茶葉の分量が釣り合うように設けられている。
【００３９】
しかしながら、計量部２３に盛る茶葉の分量は、濃い目及び薄目といった夫々の人の好みによって、該計量部２３を一杯としたときを基準として、種々変更可能である。なお、計量部２３が一杯になるとは、計量部２３の底２３ａと蓋体１２の仮想の上部水平線２３ｂとで囲まれるくぼみ部分に茶葉がぎっしり入れられた状態を指す。
【００４０】
また、蓋体１２のうち、下方側（図１及び図２において空洞１５の内部に向かう側）に向かい、台座部としての筒状部２４が延出している。筒状部２４も、急須本体１１と同様に、所定の肉厚を有する中空形状を為すものである。蓋体１２が蓋載置部１８に載置された場合、この筒状部２４は、空洞１５の内部に入り込む。また、この筒状部２４の下端側から取手１４に向かい、脱落防止手段としての舌片部２５が延出している。舌片部２５は、蓋載置部１８であって取手１４側の幅狭の蓋載置部１８の裏面側と対向するように配置され、後述するように蓋体１２が簡単に脱落するのを防止するのに十分な寸法を有するように形成されている。
【００４１】
図１、図２及び図４に示すように、筒状部２４のうち、取手１４側には空気孔２６が形成されている。この空気孔２６は、筒状部２４を貫通して中空部分２４ａに通じている。そのため、この空気孔２６、中空部分２４ａを介して、空気が空洞１５に供給される構成である。
【００４２】
中空部分２４ａは、高さ方向が大きい大径の円柱状となる大空間２４ｂと、径は大空間２４ｂと略同一で、その高さ方向の長さが大空間２４ｂより小さい円板状となる中空間２４ｃと、大空間２４ｂと中空間２４ｃを結ぶ空間で小径の円盤状となる小空間２４ｄとから構成されている。小空間２４ｄを囲む部分は中空部分２４ａに対して円板状に突出する円形突出部２４ｅとなっている。この円形突出部２４ｅは、蓋体１２の底面につけた湯気が落下するのをできる限り防ぐものとなっている。
【００４３】
また、円形突出部２４ｅは、さらに、この蓋体１２の重心を急須１０のより中心側にするためのものである。さらに、円形突出部２４ｅの注ぎ口１３側は、急須１０を傾けたときに湯気による水分を溜め急須本体１１側へ移動しないようにする作用も行う。
【００４４】
以上のような構成を有する急須１０を用いて、お茶を入れる際の動作について、以下に説明する。
【００４５】
まず茶葉を図２の状態または急須本体１１から取り外した状態の蓋体の計量部２３に盛り、この計量部２３にて茶葉が適宜の量であるか否かを計測する。そして、この計量部２３で茶葉の大まかな量を計った後に、茶葉を空洞１５の茶漉し網１６内に入れ、お湯も入れる。この後に、再び開口部１７を覆うように蓋体１２を取り付けて、お茶の飲み頃となるのを待つ。蓋体１２を取り付ける場合、まず舌片部２５から最初に空洞１５に向けて差し込み、蓋載置部１８の裏側にこの舌片部２５が差し掛かるようにする。その後に、筒状部２４を開口部１７に落とし込むことで、該蓋体１２の取り付けが為される。
【００４６】
蓋体１２を前後を逆にして急須本体１１に組み込もうとしても組み込むことはできない。これは、舌片部２５を注ぎ口１３側に入れた場合、蓋体１２の後方部分（蓋側フランジ部２２の幅広の部分で、図１で長さＭ１として表示されている部分）が後方側当接部２１の存在によって蓋載置部１８に載置できない状況となるためである。蓋体１２を蓋載置部１８上に全面的に載置できるのは、舌片部２５を取手１４側の蓋載置部１８の裏側に差し込む場合のみである。
【００４７】
お湯による湯気は、蓋体１２の底面１２ａに付着し、その一部は、急須本体１１側に落ちていくが、底面１２ａの外周部分の湯気は急須本体１１ではなく、円形突起部２４ｅに落ち、急須本体１１への落下が一部阻止される。
【００４８】
そして、お茶の飲み頃となった後に、取手１４を手で握り、急須１１を持ち上げて茶碗にお茶を注ぐ。このとき、最初は急須１０をわずかに傾ける（図５参照）。すると、蓋体１２はすべり落ち、蓋体１２の前端が前方側当接部２０に突き当たると共に筒状部２４の前方端が前方側の蓋載置部１８に突き当たる。この両部分での突き当たりによって蓋体１２の下方へのさらなるすべり落ちは阻止される。なお、両部分で突き当たりをさせずに、少なくとも一方の場所での突き当たりとしても良い。
【００４９】
蓋体１２が前方へすべり落ちると、空気孔２６と後方側の蓋載置部１８との間には十分な隙間が発生する。この隙間の発生と共に、例えば指入れ凹部１９の近傍の凹みによって、蓋載置部１８と蓋側フランジ部２２の間に僅かな隙間が生じ、それによって、外部の空気が急須１０の内部に所定量ずつ導入される。このため、この状態では、通常では急速に茶碗へお湯が注がれるのに対して、お湯は適正な分量ずつ茶碗に注がれることとなり、茶碗からお茶が飛びはねて出てしまうことがない。
【００５０】
その後、急須１０内のお湯（お茶）が少なくなり、さらに急須１０を傾け、垂直（９０度）近くとする（図６参照）。このように急須１０を垂直近くに立てても蓋体１２の重心Ｇが蓋体１２の回転支点の垂直線上まで届かない位置（図６では蓋体１２の先端が回転支点Ｎでその垂直線の右側）に位置することとなるので、依然として蓋体１２は蓋載置部１８上に全面的に載置された状態を維持する。
【００５１】
さらに、急須１０を傾け、図７に示すように垂直または垂直状態を達成させると、蓋体１２は、回転支点Ｎを中心として取手１４側の蓋載置部１８の裏面に突き当たり、それ以上の回動が阻止される。このため、蓋体１２は、急須本体から外れない。また、蓋体１２が回動すると空気孔２６は、完全に外界とつながり、急須１０内のわずかに残っているお湯（お茶）は最も早く茶碗に注がれる。
【００５２】
図５、６、７のように急須１０を傾けたとき、蓋体１２の底面１２ａに付着した湯気は底面１２ａをつたって前方側へ落ちていく。そして前方側の突起部２４ｅと底面１２ａと筒状部２４で囲まれた領域に溜まる。このため、冷えた湯気が急須本体１１内のお湯へ落ちていくことが防止される。また、このように冷えた湯気が溜まると、蓋体１２の重心Ｇは、より急須本体１１側に移行することとなり、蓋体１２の回動時期（回動開始角度）が遅れることとなる。
【００５３】
以上のように、蓋体１２が急須本体１１に取り付けられていると、お茶を注ぐために急須１０を片手で持った状態で傾けても、舌片部２５が蓋載置部１８にぶつかって邪魔となり、蓋体１２が開口部１７を覆ったまま脱落しない。すなわち、通常の使用状態においては、蓋体１２が急須本体１１から脱落せず、使用者は空洞１５等に存するお茶の流量の勢いを確保して注げる。また、片手で持ったままお茶を最後まで出し切れるものとなる。
【００５４】
また、再度お茶を注いだり、空洞１５を洗浄する場合には、指入れ凹部１９に指を入れて蓋体１２の前方側を持ち上げて、筒状部２４を開口部１７から外す。この後に、蓋体１２を前方側（注ぎ口１３側）に向けてずらすことにより、舌片部２５が蓋載置部１８の裏面側に差し掛かる状態から外れ、それにより該蓋体１２を急須本体１１から離す（外す）ことができる。
【００５５】
また、お茶の注ぎ方として、次のような方法を行うこともできる。まず、取手１４、或いは急須本体１１を片手で持つと共に、例えば親指で蓋体１２を押さえる。この場合、蓋体１２を後方側当接部２１に当接する方向に向けて親指で押さえる。すると、空気孔２６が蓋載置部１８の側縁部に当接かつ蓋体１２が蓋載置部１８に全面的に載置された状態となり、この蓋載置部１８によって空気孔２６が塞がれた状態となると共に蓋体１２によって開口部１７が塞がれた状態となる。
【００５６】
そのため、この状態下では、空洞１５への空気の供給がされ難くなり、しかも中空部分２４ａ内の空気が取手１４側へ移動できないため、急須１０を傾けても、注ぎ口１３からのお茶の供給がほとんどなされないか、またはゆっくりなされる。
【００５７】
しかしながら、急須１０を傾けた状態で、蓋体１２を前方側当接部２０に向けて少しずらすと、中空部分３４ａ内の空気が取手１４側へ移動していく。このため、お茶がゆっくり注がれる。また、空気孔２６を再度塞ぐと、お湯の出が悪くなる。これにより、お湯の注ぎ速度を加減することができる。
【００５８】
また、茶葉１２を前方当接部２０に向けて少しずらした状態で指入れ凹部１９に指を入れて蓋体１２を開口部１７からわずかに外すと、空気孔２６が塞がれた状態が解除されると共に、筒状部２４の外周と後側の蓋載置部１８との間に隙間が発生する。これによってこの隙間を介して直接に、または空気孔２６及び中空部分２４ａを介して、空洞１５に空気が供給される状態となる。それにより、お茶を茶碗に急速に供給することができる。
【００５９】
すなわち、使用者は、蓋体１２を前後方向にずらしたり、わずかに持ち上げることにより、茶碗にお茶をゆっくり供給する、速く供給するという、動作切替えを瞬時に行うことができる。それにより、通常の急須を用いてお茶を注ぐ場合と比較して、お茶を注ぐ量の調整をきめ細かく行える。
【００６０】
このような構成の急須１０によれば、片手で急須１０をもって急須１０を傾けて茶碗等にお茶を注ぐ場合でも、舌片部２５によって蓋体１２が急須本体１１から脱落するのを防ぐことができるので、内部に熱湯が存する急須１０を片手で持った状態でお茶を注いでも、使用者がやけどするのを防ぐことができる。また、その傾き角度を急な角度としても、蓋体１２が急須本体１１から脱落しないので、片手であっても、急須１０内のお茶を完全に茶碗等に注ぐことができる。
【００６１】
また、舌片部２５で蓋体１２が急須本体１１から外れるのを防ぐことができるので、片手で急須１０を持って、急速に傾けることができる。それにより、お茶を茶碗に入れる流量の勢いを確保することが可能となる。また、片手で急須１０を持って茶碗にお茶を注げるので、空いている手で他の作業をすることができ、お茶を茶碗に注ぐ際の利便性が向上する。
【００６２】
また、急須本体１１には、蓋体１２を蓋載置部１８に載置した場合に、これら注ぎ口１３、蓋体１２及び取手１４が略一直線上に配置される。このように配置することで、例えば注ぎ口１３に対し横方向に取手１４が設けられている場合と比較して、お茶を注ぐ際に余分なモーメントが手に掛からない。そのため、手に生じる負荷を軽減することができ、お茶を注ぐ際の疲労感を低減できる。
【００６３】
さらに、急須本体１１には、注ぎ口１３側に蓋載置部１８から切り立った前方側当接部２０が設けられ、取手１４側に蓋載置部１８から切り立った後方側当接部２１が設けられている。しかも、蓋体１２の舌片部２５は必ず取手１４側に配置される。それにより、お茶を茶碗に注ぐため、急須１０を傾けた場合に、蓋体１２を前方側当接部２０で受け止めることができる。さらに、舌片部２５によって、急須１０を傾けた場合でも、蓋体１２の脱落を防止することができる。また、取手１４側が下に向くように傾けた場合でも、後方側当接部２１で蓋体１２を受け止めることができる。それによっても、蓋体１２が急須本体１１から外れて落下するのを防止することができる。
【００６４】
また、蓋体１２の蓋側フランジ部２２は、蓋載置部１８への取付状態において、注ぎ口１３側が幅広に形成され、取手１４側が幅狭に形成されている。しかも、蓋載置部１８も、注ぎ口１３側が幅広に形成され、取手１４側が幅狭に形成されている。このため、幅広の蓋載置部１８では、前方側当接部２０での受け止めと相俟って、急須１０を傾けてお茶を注ぐ場合に、蓋体１２を良好に受け止めることができる。また、幅狭の蓋載置部１８は、幅狭の蓋側フランジ部２２を受け止めている。このため、蓋体１２の前方側を持ち上げて、該蓋体１２を急須本体１１から取り外す場合に、幅狭の蓋側フランジ部２２の係合が外れ、蓋体１２の取り外しをスムーズに行うことができる。
【００６５】
さらに、蓋体１２の天井側に計量部２３が設けられることにより、急須本体１１の内部に茶葉を入れるに先立って、計量部２３に茶葉を一杯に盛ることで、お湯と茶葉の分量が釣り合うように設けられている。このため、計量部２３を利用して茶葉を急須本体１１の内部に入れることで、最適の茶葉の分量を簡単に入れることができる。それによって、手軽においしいお茶を飲むことが可能となる。
【００６６】
また、筒状部２４には、空気孔２６が形成されていて、しかもこの空気孔２６が蓋載置部１８の側縁部分に当接した場合に、塞がれるように設けられている。このため、片手で急須１０を持つと共に、例えば親指等で蓋体１２を押さえると、親指を動かして蓋体１２をスライドさせることができる。
【００６７】
そして、蓋体１２のスライドにより、空気孔２６が塞がれて中空部分２４ａから急須本体１１の内部（空洞１５）への空気の供給が阻止されたり、或いは空気孔２６が開放して急須本体１１の内部（取手１４側の空洞１５）へ空気を供給可能となったりする。それにより、蓋体１２のスライドにより、注ぎ口１３から注がれるお茶の流量調整を、簡単かつ素早く行うことができる。それによって、急須１０を傾けた状態でも、空気孔２６が塞がれた状態では、お茶を茶碗に注ぎ難くなるか、ゆっくりのみ注ぐことができるが、この傾けた状態を維持したままで蓋体１２をずらすと空気孔２６が開放し、お茶を茶碗にかなり速く注ぐことができる。
【００６８】
また、蓋体１２をわずかに持ち上げれば外気を空洞１５へ供給できるので、さらに一層速くお茶を注ぐことができる。しかも、このお茶の流量調整が、取手１４をつかんでいない他方の片手のみで行えるので、非常に便利なものとなる。なお、蓋体１２の前後動のみであれば、取手１４をつかんでいる手のみでも行えるため、一層便利なものとなる。また、蓋体１２のわずかな持ち上げも取手１４をつかんだ手の指で行うことも可能である。
【００６９】
以上、本発明の一実施の形態について述べたが、本発明はこれ以外にも種々変形可能となっている。例えば、上述の急須本体１１の内部（空洞１５）に、お湯の量が所定量に達したか否かを視認することが可能な線状の目盛りを設けても良い。
【００７０】
また、取手１４の位置は、上述の如く蓋体１２及び注ぎ口１３との間で同一直線上に配置される場合には限られず、他の位置に配置しても良い。さらに、舌片部２５は、蓋体１２と一体的に設けられた場合について説明しているが、この舌片部２５を蓋体１２に対して別体的に取り付ける構成としても良い。
【００７１】
また、脱落防止手段となる舌片部２５を取手１４側にくるように配置しているが、注ぎ口１３側にくるようにしても良い。また、空気孔２６を取手１４側にくる位置に設けているが、注ぎ口１３側や他の位置にくるように設置しても良い。さらに、突起部２４ｅや空気孔２６を設けないようにしたり、計量部２３や舌片部２５を設けないようにしても良い。また、茶漉し網１６は必要なければ空洞１５内に配置しないようにしても良い。
【００７２】
【発明の効果】
本発明によれば、蓋載置部と脱落防止手段との係合により、急須を傾けてお茶を茶碗に注ぐ場合でも、蓋体が急須本体から脱落するのを防ぐことができる。それにより、片手のみでもお茶を注ぐことができ、お茶を注ぐ際の利便性が向上する。また、片手で急須を傾けてお茶を注いでも、蓋体が脱落しないので、蓋体の脱落により生じるやけどを負うことを防ぎ、十分な安全性を確保することができる。
【００７３】
また、他の発明は、注ぎの制御が容易となる急須を得ることができる。さらに他の発明は、蓋体の底面に付着した湯気の戻りをできる限り少なくできると共に蓋体が急須本体から外れにくくする急須を得ることができる。また、他の発明は、蓋体を所定位置関係でのみ急須本体に装着できる急須を得ることができる。
【図面の簡単な説明】
【図１】本発明の一実施の形態に係る急須の形状を示す側断面図であり、蓋体が急須本体に取り付けられる前の状態を示す図である。
【図２】図１の急須において、蓋体が急須本体に取り付けられた後の状態を示す側断面図である。
【図３】図１の急須において、急須本体に蓋体が取り付けられた状態での急須の立体形状を示す斜視図である。
【図４】図１の急須において、空気孔及び舌片部が設けられている側から見た蓋体の正面形状を示す図である。
【図５】図１の急須をわずかに傾けた状態であって、急須のお湯（お茶）を省略して示す側断面図である。
【図６】図１の急須を垂直近くまで傾けた側断面図である。
【図７】図１の急須を垂直以上に傾けた側断面図である。
【符号の説明】
１０…急須
１１…急須本体
１２…蓋体
１３…注ぎ口
１４…取手
１５…空洞
１６…茶漉し網
１７…開口部
１８…蓋載置部
２０…前方側当接部
２１…後方側当接部
２２…蓋側フランジ部
２３…計量部
２４…筒状部（台座部）
２５…舌片部（脱落防止手段）
２６…空気孔
【図１】
0004002788.tif 000002
【図２】
0004002788.tif 000003
【図３】
0004002788.tif 000004
【図４】
0004002788.tif 000005
【図５】
0004002788.tif 000006
【図６】
0004002788.tif 000007
【図７】
0004002788.tif 000008